(57)【要約】【課題】テーブルやソファなどの障害物を避けて、床面温度を正しく検知できる空気調和機の室内機を提供する。【解決手段】空気調和機の室内機１は、筐体１０に熱交換器１５とクロスフローファン１６を収納し、筐体１０の正面側には、空調対象空間の床Ｆの表面温度を検知する床面温度センサ２１を備えている。室内機１の制御部は床面温度センサ２１の検知結果に基づき動作制御を行う。床面温度センサ２１の検知範囲２２には方向性があり、室内機１は床面温度センサ２１をユニバーサルマウント２４により検知方向可変に搭載している。ユニバーサルマウント２３には床面温度センサ２１の検知方向を変えるツマミ２５が設けられている。ツマミ２５は、床面温度センサ２１が標準として定められた方向を向いているときは水平姿勢をとる。【選択図】図２
2010270958.tif 000002
【特許請求の範囲】
【請求項１】
空調対象空間の床面温度を検知する床面温度センサと、前記床面温度センサの検知結果に基づき動作制御を行う制御装置を備えた空気調和機の室内機において、
前記床面温度センサは検知範囲に方向性を有するものであり、この床面温度センサを検知方向可変に搭載したことを特徴とする空気調和機の室内機。
【請求項２】
前記床面温度センサの検知方向を変えるツマミを設けたことを特徴とする請求項１に記載の空気調和機の室内機。
【請求項３】
前記床面温度センサが標準として定められた方向を向いているとき、前記ツマミは水平姿勢をとることを特徴とする請求項２に記載の空気調和機の室内機。
【請求項４】
前記床面温度センサの検知範囲を可視光で照らす照準ライトを搭載したことを特徴とする請求項１から３のいずれか１項に記載の空気調和機の室内機。
【発明の詳細な説明】
【技術分野】
【０００１】
本発明は空気調和機の室内機に関する。
【背景技術】
【０００２】
空調対象空間の空調を効率的に行うため、空気調和機の室内機には様々な工夫が取り入れられている。空調対象空間の床面温度を検知し、それに基づき室内機の動作制御を行うといったやり方もその一つである。このような仕組みを備えた室内機の例を特許文献１、２に見ることができる。
【０００３】
特許文献１には、床面の輻射温度を輻射温度検出手段で検出する室内機が記載されている。この室内機では、「足もと優先」運転時に床面温度が低ければ、設定温度及び室内送風機の設定回転数が所定値アップされ、風向ルーバーも暖房運転時には下方向に、冷房・除湿運転時には水平方向に向けられる。その結果、床面温度が上昇し、冷房時の冷え過ぎも解消され、「足もと」の快適性が優先されることになる。
【０００４】
特許文献２に記載された室内機は、床面温度を検知する床面温度検知器にて、単位時間当たりの温度上昇度合を監視し、この温度上昇値が設定値以上ならば床面中心に空気を流し、設定値以下ならば、天井面、壁面を中心に空気を流し、人体に気流を感じさせることを少なくしている。
【先行技術文献】
【特許文献】
【０００５】
【特許文献１】特開２００２−３１０４９２号公報
【特許文献２】特開平５−３２２２７２号公報
【発明の概要】
【発明が解決しようとする課題】
【０００６】
空調対象空間の床面温度を検知する床面温度センサを備えた従来の室内機において、床面温度センサは方向を固定された状態で搭載されていた。そのため、床面温度センサが指向する方向にテーブルやソファなどが置かれていたりすると、床面ではない物体の温度を検知してしまうことになり、適切な室温制御を行うことができなかった。
【０００７】
本発明は上記の問題に鑑みなされたものであり、テーブルやソファなどの障害物を避けて、床面温度を正しく検知できる空気調和機の室内機を提供することを目的とする。
【課題を解決するための手段】
【０００８】
上記目的を達成するために本発明は、空調対象空間の床面温度を検知する床面温度センサと、前記床面温度センサの検知結果に基づき動作制御を行う制御装置を備えた空気調和機の室内機において、前記床面温度センサは検知範囲に方向性を有するものであり、この床面温度センサを検知方向可変に搭載したことを特徴としている。
【０００９】
この構成によると、床面温度センサと床面との間に障害物が入り込んだ場合は床面温度センサの向きを変えることにより検知範囲に床面をとらえ続けることができるから、床面温度に基づく動作制御を正しく遂行することができる。
【００１０】
上記構成の空気調和機の室内機において、前記床面温度センサの検知方向を変えるツマミを設けることが好ましい。
【００１１】
この構成によると、指でツマミを操作することにより床面温度センサの検知方向を手軽に、手早く変えることができる。複雑な方向変更機構は不要であり、故障の懸念がなく、製造コストも安い。
【００１２】
上記構成の空気調和機の室内機において、前記床面温度センサが標準として定められた方向を向いているとき、前記ツマミは水平姿勢をとることが好ましい。
【００１３】
この構成によると、床面温度センサの向きが標準として定められた方向からどの程度ずれているかが一目で認識できる。
【００１４】
上記構成の空気調和機の室内機において、前記床面温度センサの検知範囲を可視光で照らす照準ライトを搭載することが好ましい。
【００１５】
この構成によると、床面温度センサが赤外線センサであったとしても、検知範囲を視覚的に認識することができる。
【発明の効果】
【００１６】
本発明によると、床面上の障害物を回避して、床面温度を確実に検知することができるから、空気調和機の室内機に、床面温度に基づく動作制御を正しく遂行させることができる。
【図面の簡単な説明】
【００１７】
【図１】本発明の実施形態に係る空気調和機の室内機の斜視図である。
【図２】図１の室内機の垂直断面図である。
【図３】図１の室内機による温度検知状況を説明する空調対象空間の斜視図である。
【図４】図１の室内機による温度検知範囲変更状況を説明する空調対象空間の断面図である。
【発明を実施するための形態】
【００１８】
図１には室外機と室内機からなるセパレート型空気調和機の室内機１が示されている。室外機は図示しない。室内機１は、図３及び図４に示すように空調対象空間である室Ｒの壁Ｗの上方に取り付けられている。室Ｒは室内機１を取り付けた壁Ｗと床Ｆのみを描き、壁Ｗ以外の３面の壁と天井は図示を省略してある。
【００１９】
室内機１は横長の筐体１０を有する。筐体１０は、天面に空気吸込口１１を有し、正面下部に空気吹出口１２（図２参照）を有する。空気吹出口１２は上下風向板１３で覆われる。上下風向板１３は軸１４を支点として電動で回動するものであり、室内機１を運転しないときは図１及び図２に示すように空気吹出口１２を閉ざしているが、室内機１を運転するときは図２において反時計回りに回動し、空気吹出口１２を開く。
【００２０】
筐体１０の内部には熱交換器１５とクロスフローファン１６が設けられている。空気吹出口１２が開いた状態でクロスフローファン１６が回転すると、室内の空気が空気吸込口１１から吸い込まれる。吸い込まれた空気は熱交換器１５からクロスフローファン１６を通り、空気吹出口１２より室内に吹き出される。熱交換器１５に冷媒が流れていれば、その冷媒のもたらす温熱または冷熱が空気に伝えられ、空気の温度調節がなされる。空気吸込口１１と熱交換器１５の間にはフィルタ１７が配置されていて、吸い込まれた空気に含まれる塵埃はフィルタ１７で捕捉される。空気吹出口１２は縦ルーバと水平ルーバ（いずれも図示せず）を備え、吹き出す風の向きを左右方向及び上下方向に調整できる。
【００２１】
筐体１０の内部には、正面上部にあたる箇所に制御室２０が区画形成される。制御室２０は室内機１の制御部を構成する制御基板（図示せず）を収納するものである。制御基板に加えて制御室２０は、正面から見て中央にあたる箇所に、床面温度センサ２１を収納している。
【００２２】
床面温度センサ２１は赤外線センサであり、検知範囲に方向性（指向性）を有する。床面温度センサ２１の検知範囲２２は、図３及び図４に示すように、円錐形をなしている。筐体１０には、床面温度センサ２１からの検知光を通過させる窓２３が形成される。窓２３には赤外線を通すレンズが嵌め込まれる。
【００２３】
床面温度センサ２１はユニバーサルマウント２４に保持されている。ユニバーサルマウント２４は上下左右に向きを変えることができ、それに従って床面温度センサ２１も向きを変える。ユニバーサルマウント２４にはツマミ２５が設けられている。ツマミ２５は筐体１０に形成された窓２６から前方に突き出しており、これを指先で操作してユニバーサルマウント２４の向きを調整することができる。ツマミ２５は、床面温度センサ２１が標準として定められた方向を向いているときには水平姿勢をとり、また正面から見て真っ直ぐ前方を向く。なお工場出荷時には床面温度センサ２１は標準として定められた方向に向けられている。
【００２４】
上記のように構成された室内機１は、冷房運転、除湿運転、暖房運転などの運転を行う際、床面温度センサ２１で床Ｆの表面温度を検知し、その検知結果に基づき室内機１の制御部は動作制御を行う。動作制御の具体的なやり方については、様々な方法が公知になっているので、ここでは詳細な説明を省略する。
【００２５】
床面温度センサ２１の検知範囲２２には床Ｆのみが含まれるべきであるが、時として、床Ｆ以外の障害物が侵入することがある。図３及び図４には、検知範囲２２にテーブルＴが入り込んだ状況が描かれている。床面温度センサ２１が検知するテーブルＴの表面温度は床Ｆの表面温度を正確に反映している訳ではないので、テーブルＴの表面温度に基づき動作を制御したのでは適切な室温制御を行うことができない。
【００２６】
そこで、床面温度センサ２１の検知範囲２２に障害物が侵入したときは、ツマミ２５を操作して床面温度センサ２１の検知方向を変える。ツマミ２５を押し上げれば、検知範囲を図４の２２ａのようにすることができる。検知範囲２２ａはテーブルＴから外れており、床Ｆの表面温度が検知対象となる。ツマミ２５を押し下げ、検知範囲を図４の２２ｂのようにすることもできる。検知範囲２２ｂもテーブルＴから外れており、床Ｆの表面温度が検知対象となる。あるいは、ツマミ２５を左右に動かして検知範囲２２を左右に振り、テーブルＴから外すこともできる。上下の動きと左右の動きを組み合わせた立体的な動きで検知範囲２２を動かすこともできる。
【００２７】
ツマミ２５による床面温度センサ２１の方向変更は手軽で手早く、確実である。構造も簡単で、故障の懸念がなく、製造コストも安い。
【００２８】
床面温度センサ２１が標準として定められた方向を向いているとき、ツマミ２５は水平姿勢をとり、また真っ直ぐ前方を向くので、ツマミ２５を見れば、床面温度センサ２１が標準方向からずれた方向を向いているかどうか、そのずれの程度はどのくらいかを一目で判断することができる。ツマミ２５が向いている方向の目安をつけやすいように、窓２６の周囲に目印や目盛りを設けておいてもよい。
【００２９】
筐体１０の正面を開閉自在なカバーパネルで覆い、その内側にツマミ２５を納めるようにしてもよい。このようにすれば、室内機１の外観が向上する。
【００３０】
自動車のドアミラーのように、床面温度センサ２１の方向変更をモータで行うようにすることもできる。そのモータを室内機１のリモートコントローラで制御できるようにしておけば、背の低い使用者でも踏み台などを用いることなく床面温度センサ２１の向きを変えることができ、便利である。
【００３１】
床面温度センサ２１の検知範囲２２は肉眼で見ることができない。そのため、検知範囲２２が床Ｆをとらえているのか、それとも床Ｆ以外の障害物をとらえているのかを確認することが難しい。この問題を克服するため、検知範囲２２を可視光で照らす照準ライトを室内機１に搭載することができる。照準ライトとしては、例えば、検知範囲２２の中心を点状の光で照らすレーザーポインタのようなものを考えることができる。このようにすれば、検知範囲２２の中心がわかるので、検知範囲２２を床Ｆに向けるのが容易になる。あるいは、検知範囲２２と同じ広がりを有する円錐形の可視光ビームを照射する構成とすることもできる。このようにすれば、検知範囲２２の広がりそのものが視覚的にわかるので、それを容易に障害物から外すことができる。
【００３２】
上記照準ライトは必要なときだけスイッチでＯＮにできるようにしておくのがよい。ツマミ２５にスイッチの機能を設け、ツマミ２５に触れている間だけ照準ライトがＯＮになるようにしてもよい。
【００３３】
以上、本発明の実施形態につき説明したが、本発明の範囲はこれに限定されるものではなく、発明の主旨を逸脱しない範囲で種々の変更を加えて実施することができる。
【産業上の利用可能性】
【００３４】
本発明は床面温度センサを有する空気調和機の室内機に広く利用可能である。
【符号の説明】
【００３５】
１    室内機
１０  筐体
１１  空気吸込口
１２  空気吹出口
１５  熱交換器
１６  クロスフローファン
２０  制御室
２１  床面温度センサ
２２  検知範囲
２３  窓
２４  ユニバーサルマウント
２５  ツマミ
Ｒ    室（空調対象空間）
Ｗ    壁
Ｆ    床
Ｔ    テーブル（障害物）
【図１】
2010270958.tif 000003
【図２】
2010270958.tif 000004
【図３】
2010270958.tif 000005
【図４】
2010270958.tif 000006